(57)【要約】【課題】  手提げバッグ本体をコンパクトに収納可能であり、コンパクトに収納した場合にもバッグとして使用可能な手提げバッグとすることである。【解決手段】  手提げバッグ自体に手提げバッグの本体を収納可能な収納用袋部を設けると共に、当該袋部にバッグの本体が収納された際に持ち手となる手提げ部分も設け、該収納用袋部に手提げバッグの本体を収納した際に、小型の手提げバッグとして使用可能とする。【選択図】  図２
0003136223.tif 000002
【実用新案登録請求の範囲】
【請求項１】
本体手提げ部と本体袋部とからなるバッグ本体と、該本体袋部の開口端部から延設して該本体袋部の袋内に折り返して設けられた該バッグ本体を収納自在とする収納用袋部と、該バッグ本体を該収納用袋部に収納した際に手提げとなる収納時手提げ部とからなり、該収納時手提げ部は、該収納用袋部の本体袋部裏面側と接する収納用袋部裏面側であって本体袋部からの折り返し部分近傍の該収納用袋部の両側端にかけて設けられており、該バッグ本体を適宜折り畳んで該収納用袋部へ収納する際にも手提げ用バッグとして使用可能であることを特徴とする手提げバッグ。
【請求項２】
本体手提げ部と本体袋部とからなるバッグ本体と、該本体袋部の開口端部から延設して該本体袋部の袋内に折り返して設けられた該バッグ本体を収納自在とする収納用袋部と、該バッグ本体を該収納用袋部に収納した際に手提げとなる収納時手提げ部とからなり、該収納時手提げ部は、該収納用袋部の本体袋部裏面側と接する収納用袋部裏面側であって本体袋部からの折り返し部分近傍の該収納用袋部の両側端にかけて設けられ、該収納用袋部は、略四角形状且つ該収納用袋部の袋部の深さと該本体袋部の袋の深さとの比率を１：２．５〜１：３．５の間に形成され、該バッグ本体を適宜折り畳んで該収納用袋部へ収納する際にも手提げ用バッグとして使用可能であることを特徴とする携帯用手提げバッグ。
【請求項３】
本体手提げ部と本体袋部とからなるバッグ本体と、該本体袋部の開口端部から延設して該本体袋部の袋内に折り返して設けられた該バッグ本体を収納自在とする収納用袋部と、該バッグ本体を該収納用袋部に収納した際に手提げとなる収納時手提げ部とからなり、該収納時手提げ部は、該収納用袋部の本体袋部裏面側と接する収納用袋部裏面側であって本体袋部からの折り返し部分近傍の該収納用袋部の両側端にかけて設けられ、該収納用袋部は、略四角形状且つ該収納用袋部の袋部の深さと該本体袋部の袋の深さとの比率を１：２．８〜１：２．９又は１：３．１〜１：３．２の間に形成され、該バッグ本体を適宜折り畳んで該収納用袋部へ収納する際にも手提げ用バッグとして使用可能であることを特徴とする携帯用手提げバッグ。
【考案の詳細な説明】
【技術分野】
【０００１】
本考案は、手提げバッグにバッグ本体を収納するための収納用袋部を設け、バッグ本体を収納用袋部に収納した場合にも手提げバッグとして使用可能な手提げバッグに関するものである。
【背景技術】
【０００２】
従来より、手提げバッグ自体に設けられた収納袋にバッグ本体を折り畳んで収納することにより、持ち運びや収納を容易にする手提げバッグの提案がなされている。このような手提げバッグとして、例えば、適宜に折曲して収縮状態にでき且つ出入れ開口の周縁の適宜の一部に略切込み状の小開口部が形成されたバッグ本体部と、小開口部からバッグ本体部の外部に裏返しつつ引き出して自在とした収納袋部とから構成される携帯バッグが開示されている（特許文献１）。
【特許文献１】特開２００６−２４７０７１
【考案の開示】
【考案が解決しようとする課題】
【０００３】
ところが、上記特許文献１に開示されるようなバッグでは、そもそもバッグ本体を収納した場合には、既にバッグとして使用することはできなかった。従って、バッグを収納した時点で、それ自体が荷物となってしまい、別のバッグなどに収納し持ち運びしなければならないという問題点が依然存在していた。これらの問題点は、従来の収納するタイプのバッグにおいては、単にコンパクトに収納することのみに重点が置かれていたため、収納時の利便性を考慮した観点からの問題解決はなされていなかった。
【０００４】
本考案の目的は、上記従来の問題点に鑑みてなされたものであり、バッグ本体を収納した場合であっても、それ自体が小型のバッグとして使用可能となる、利便性・ファンション性を高めた手提げバッグを提供することにある。
【課題を解決するための手段】
【０００５】
本考案に係る手提げバッグは、本体手提げ部と本体袋部とからなるバッグ本体と、該本体袋部の開口端部から延設して該本体袋部の袋内に折り返して設けられた該バッグ本体を収納自在とする収納用袋部と、該バッグ本体を該収納用袋部に収納した際に手提げとなる収納時手提げ部とからなり、該収納時手提げ部は、該収納用袋部の本体袋部裏面側と接する収納用袋部裏面側であって本体袋部からの折り返し部分近傍の該収納用袋部の両側端にかけて設けられており、該バッグ本体を適宜折り畳んで該収納用袋部へ収納する際にも手提げ用バッグとして使用可能であることを特徴とする。
【０００６】
本考案に係る手提げバッグは、本体手提げ部と本体袋部とからなるバッグ本体と、該本体袋部の開口端部から延設して該本体袋部の袋内に折り返して設けられた該バッグ本体を収納自在とする収納用袋部と、該バッグ本体を該収納用袋部に収納した際に手提げとなる収納時手提げ部とからなり、該収納時手提げ部は、該収納用袋部の本体袋部裏面側と接する収納用袋部裏面側であって本体袋部からの折り返し部分近傍の該収納用袋部の両側端にかけて設けられ、該収納用袋部は、略四角形状且つ該収納用袋部の袋部の深さと該本体袋部の袋の深さとの比率を１：２．５〜１：３．５の間に形成され、該バッグ本体を適宜折り畳んで該収納用袋部へ収納する際にも手提げ用バッグとして使用可能であることを特徴とする。
【０００７】
本考案に係る手提げバッグは、本体手提げ部と本体袋部とからなるバッグ本体と、該本体袋部の開口端部から延設して該本体袋部の袋内に折り返して設けられた該バッグ本体を収納自在とする収納用袋部と、該バッグ本体を該収納用袋部に収納した際に手提げとなる収納時手提げ部とからなり、該収納時手提げ部は、該収納用袋部の本体袋部裏面側と接する収納用袋部裏面側であって本体袋部からの折り返し部分近傍の該収納用袋部の両側端にかけて設けられ、該収納用袋部は、略四角形状且つ該収納用袋部の袋の深さと該本体袋部の袋の深さとの比率を１：２．８〜１：２．９又は１：３．１〜１：３．２の間に形成され、該バッグ本体を適宜折り畳んで該収納用袋部へ収納する際にも手提げ用バッグとして使用可能であることを特徴とする。
【考案の効果】
【０００８】
本考案に係る手提げバッグは、本体手提げ部と本体袋部とからなるバッグ本体と、本体袋部の開口端部から延設して本体袋部の袋内に折り返して設けられたバッグ本体を収納自在とする収納用袋部と、バッグ本体を収納用袋部に収納した際に手提げとなる収納時手提げ部とから構成されてなる。従って、手提げバッグには最初から収納用袋が設けられているため、収納用袋を別途持ち運ぶ必要はない。また、収納用袋部は、手提げバッグ使用時には内袋として使用することが出来るため、手提げバッグの利便性も向上する。
【０００９】
本考案に係る手提げバッグには、バッグ本体を収納用袋部に収納した時点の利用性を考慮して、収納時手提げ部は、収納用袋部の本体袋部裏面側と接する収納用袋部裏面側であって本体袋部からの折り返し部分近傍の収納用袋部の両側端にかけて設けらているので、収納すれば即小型の手提げバッグとして使用することが可能となる。また、収納時手提げ部は、手提げバッグ使用時には、本体袋部と収納用袋部の間に隠れることとなるため、手提げバッグ使用時において邪魔となることはない。
【００１０】
本考案に係る手提げバッグの収納用袋部は、略四角形状且つ収納用袋部の袋の深さと前記本体袋部の袋の深さとの比率を１：２．５〜１：３．５の間に形成されている。バッグ本体を折り畳んで収納用袋部に収納する際には、略四角形状に折り畳むことが多いため、このように収納用袋部が略四角形状に形成されていると、バッグ本体を収納し易くなる。また、収納用袋部の袋の深さと本体袋部の袋の深さとの比率を１：２．５〜１：３．５の間に形成したので、バッグ本体を折り畳んで収納用袋部に収納し易い比率に構成されることとなり、バッグ本体収納時に小型の手提げバッグとして使用し易くなる。
【００１１】
本考案に係る手提げバッグの収納用袋部は、略四角形状且つ該収納用袋部の袋の深さと該本体袋部の袋の深さとの比率を１：２．８〜１：２．９又は１：３．１〜１：３．２の間に形成されている。当該比率を整数比（１：３）から若干ずらすことにより、バッグ本体を折り畳んで収納用袋部に収納し小型の手提げバッグとして使用する際に段違いに２つの袋部が形成されることになり、利便性が向上する。
【考案を実施するための最良の形態】
【００１２】
バッグ本体をバッグに設けられた収納用袋部に収納した状態においても、小型の手提げバッグとして使用可能な手提げバッグを、簡易な構成で実現した。
【実施例】
【００１３】
図１乃至図９は、本考案の一実施例に係る手提げ用バッグを示す図である。図１は、本実施例に係る手提げ用バッグの斜視図である。図２は、本実施例に係る手提げ用バッグの収納用袋部を本体袋部から取り出した状態を当該収納用袋部の裏面側から視た図である。図３乃至図８は本実施例に係る手提げバッグを折り畳む状態を時系列的に表した図である。図３は収納用袋部を本体部から取り出した状態を当該収納用袋部の表面側から視た図である。図４から図８に至る本実施例に係る手提げバッグを折り畳む途中の状態をそれぞれ表した図である。図９は、本実施例に係る手提げバッグのバッグ本体を折り畳み収納用袋部に収納させた後に形成される小型の手提げバッグの使用状態を表す図である。図１乃至図９中、１は手提げバッグ、１０は本体袋部、１１は本体袋部開口端部、１２及び１３は本体袋部左右端部、１４は本体袋部表面部、１５は本体袋部裏面部、２０は本体手提げ部、３０は本体袋部及び本体手提げ部からなるバッグ本体、４０は収納用袋部、４１は袋部、４２は収納用袋部表面部、４３は収納用袋部裏面部、５０は収納時手提げ部、６０はタグである。
【００１４】
本実施例に係る手提げ用バッグ１は、折り畳み可能な布から形成され、本体袋部１０及び本体手提げ部２０，２０からなるバッグ本体３０と収納用袋部４０と収納時手提げ部５０とタグ６０とから構成される。この手提げ用バッグの材料は、手提げバッグが折り畳み可能であればよいため、折り畳み可能であれば、ナイロン、皮、合皮、ビニルなどの材料その他の材料のいずれで形成されてもよい。
【００１５】
バッグ本体３０は、未使用時側面略長方形状である袋状の本体袋部１０と２本の帯状の手提げ部分からなる本体手提げ部２０，２０とから構成される。本体袋部１０と本体手提げ部２０，２０は、一体に裁断し形成されているが、本体袋部１０に本体手提げ部２０，２０が縫着されるように形成されても良い。本体袋部１０は、収納容量を大きくするため左右側面にマチが設けられているが、マチが設けられていなくて考案の効果を奏することが可能であるので、マチを設けても設けなくても良いことは勿論である。また、本体袋部１０の底部には、マチが設けられていないが、同様の理由でマチが設けられても良いことは勿論である。また、この手提げ部分は、同様の理由で紐状であっても良いことは勿論である。更に、バッグ本体を折り畳んで収納用袋部に収納可能であれば考案の効果を奏することが可能であるため、考案の効果を奏するものであれば、その形状は球形状、楕円形状、多角形状などいずれであっても良いことは勿論である。
【００１６】
収納用袋部４０は、側面略四角形状に形成されている。略四角形状に形成されているのは、バッグ本体３０を折り畳んで収納する際には収納される部分が略四角形状に折り畳まれることから、収納を容易にするためである。また、収納用袋部４０は、該本体袋部１０の開口端部１１から延設して本体袋部１０の袋内に折り返して設けられ、袋部４１が形成されている。収納用袋部４０は、本体袋部１０の開口端部１１に縫着されているが、その他の手段で取り付けるようにしても良い。収納用袋部４０が縫着されている開口端部１１と対抗する側の本体袋部１０の開口端部１１の近傍にタグ６０が設けられている。なお、本実施例とは異なる形状のバッグであって開口端部がバッグ本体の形状により湾曲などしてた場合であっても、収納用袋部４０の他の端部の形状が略側面四角形状に形成されていれば良い。このような形状であれば考案の効果を奏することができるからである。該袋部４１の深さは、本考案にあっては本体袋部１０の深さとの比率が１：２．５〜１：３．５の間となるように形成される。これは、後ほど説明するように、バッグ本体３０を折り畳んで収納用袋部４０の袋部４１に収納する際に収納し易くすると共に、収納した際に本体袋部１０も袋（ポケット）を形成することとなるが、あまりに数多く折り畳むと本体袋部１０が収納スペースとしてうまく機能しなくなってしまうことからそれを避けるためである。本実施例においては、収納用袋部４０の袋部４１の深さと本体袋部１０の袋の深さとの比率が１：２．８〜１：２．９又は１：３．１〜１：３．２の間に形成される。このような比率で形成されたのは、当該比率を整数比（１：３）から若干ずらすことにより、バッグ本体を折り畳んで収納用袋部に収納し小型の手提げバッグとして使用する際に段違いに２つの袋（ポケット）が形成され易くすることによる利便性・ファッション性の向上を図るためである。また、手提げバッグの材料である生地の種類、厚さなどにより折り畳んだ状態が変わってくるため、材料によって上記の比率は調整される。更に、若干幅の狭い帯状の収納時手提げ部５０が、収納用袋部４０の本体袋部裏面側１５と接する収納用袋部裏面側４３であって本体袋部１０からの折り返し部分近傍の収納用袋部４０の両側端にかけて設けられている。この収納時手提げ部は、その両端が収納用袋部の両側端にそれぞれ縫着されている。この収納時手提げ部は、持ち手の機能を有していればよく、紐状、リボン状その他の形状であってもよいことは勿論である。
【００１７】
次に、本実施例に係る手提げバッグ１の１つの収納方法について、図３乃至図８を用いて説明する。
先ず、図３に示すように、手提げバッグ１の本体袋部１０から収納用袋部４０を表に出すと共に、収納用袋部４０の袋部４１が表となるように手提げバッグ１を置き、２本の本体手提げ部２０，２０を本体袋部１０の上（図３中表面側）に置く。収納用袋部４０と略同じ幅で本体袋部の左右を内側に折り込む（図３中点線に沿って折り込む。）。このように折り込むと図４に示す状態のように、本体袋部左右端部１２，１３が合わさるようにする。次に、折り込まれたバッグ本体３０を略三等分した箇所（図４中点線で示す。）で、図４乃至図６に示すように、収納用袋部４０に向かって折り込んでいく。最後に図７に示すように、折り込まれたバッグ本体３０を収納用袋部４０の袋部４１に押し込むと図８及び図９に示すような小型の手提げバッグとなる。
【００１８】
この小型の手提げバッグとなった状態を説明すると、当該小型の手提げバッグには元々の袋部４１と、バッグ本体３０が当該袋部４１に収納されたことから本体袋部１０によって形成される袋の２箇所の袋（ポケット）部分が形成される。また、タグ６０の位置が、本体袋部１０により形成される袋部分の略真ん中に来ることからも明らかなように、収納用袋部４０が設けられた開口端部１１と対抗する側の本体袋部１０が袋（ポケット）部分を形成する。従って、バッグ本体３０を収納した場合であっても、当該小型の手提げバッグが形成され、２箇所の袋（ポケット）部分を小物入れとして使用できるため、非常に利便性・ファッション性の良いものとなる。更に言えば、当該小型の手提げバッグには手前の深さの浅い袋（ポケット）と奧の若干深さの深い袋（ポケット）が形成されるが、袋（ポケット）それぞれの深さなどの違いによる収納容量の相違により、手前の袋（ポケット）部分には携帯電話機、鍵、化粧用コンパクトケースなど比較的収納スペースをとらなくても収納可能な物を収納し、奧の袋（ポケット）部分には財布など比較的収納スペースを要する物を収納するというように、使い分けることが可能である。図９は、当該小型の手提げバッグに財布７０や携帯電話機８０を入れた状態を示している。
【００１９】
本実施例に係る手提げバッグ１は、本体手提げ部２０，２０と本体袋部１０とからなるバッグ本体３０と、本体袋部１０の開口端部１１から延設して本体袋部１０の袋内に折り返して設けられたバッグ本体３０を収納自在とする収納用袋部４０と、バッグ本体３０を収納用袋部４０に収納した際に手提げとなる収納時手提げ部５０とから構成されてなる。従って、手提げバッグ１には最初から収納用袋４０が設けられているため、収納用袋を別途持ち運ぶ必要はない。また、収納用袋部４０は、手提げバッグ使用時には内袋として使用することが出来るため、手提げバッグ１の利便性も向上する。
【００２０】
本実施例に係る手提げバッグ１には、バッグ本体３０を収納用袋部１０に収納した時点の利用性を考慮して、収納時手提げ部５０は、収納用袋部４０の本体袋部裏面側１５と接する収納用袋部裏面側４３であって本体袋部１０からの折り返し部分近傍の収納用袋部４０の両側端にかけて設けらているので、収納すれば即小型の手提げバッグとして使用することが可能となる。また、収納時手提げ部５０は、手提げバッグ１使用時には、本体袋部１０と収納用袋部４０の間に隠れることとなるため、手提げバッグ１使用時において邪魔となることはない。
【００２１】
本実施例に係る手提げバッグ１の収納用袋部４０は、略四角形状且つ収納用袋部４０の袋部４１の深さと本体袋部１０の袋の深さとの比率が１：２．８〜１：２．９又は１：３．１〜１：３．２の間に形成されている。バッグ本体を折り畳んで収納用袋部４０に収納する際には、略四角形状に折り畳むことが多いため、このように収納用袋部４０が略四角形状に形成されていると、バッグ本体を収納し易くなる。また、該収納用袋部４０の袋部４１の深さと該本体袋部１０の袋の深さとの比率を１：２．８〜１：２．９又は１：３．１〜１：３．２の間に形成したのは、当該比率を整数比（１：３）から若干ずらすことにより、バッグ本体を折り畳んで収納用袋部に収納し小型の手提げバッグとして使用する際に段違いに２つの袋（ポケット）部分が形成され易くすることによる利便性・ファッション性の向上を図るためである。
【図面の簡単な説明】
【００２２】
【図１】図１は、本実施例に係る手提げバッグの斜視図である。
【図２】図２は、本実施例に係る手提げバッグの収納用袋部を本体袋部から取り出し、当該収納用袋部の裏面側から視た図である。
【図３】図３は、本実施例に係る手提げバッグを折り畳む状態を時系列的に表した図の内の一つの図であって、収納用袋部を本体部から取り出した状態を当該収納用袋部の表面側から視た図である。
【図４】図４は、本実施例に係る手提げバッグのバッグ本体を折り畳む途中の一状態を表した図である。
【図５】図５は、本実施例に係る手提げバッグのバッグ本体を折り畳む途中の一状態を表した図である。
【図６】図６は、本実施例に係る手提げバッグのバッグ本体を折り畳む途中の一状態を表した図である。
【図７】図７は、本実施例に係る手提げバッグのバッグ本体を折り畳む途中の一状態を表した図である。
【図８】図８は、本実施例に係る手提げバッグのバッグ本体を折り畳む途中の一状態を表した図である。
【図９】図９は、本実施例に係る手提げバッグのバッグ本体を折り畳み収納用袋部に収納させた後に形成される小型の手提げバッグの使用状態を表す図である。
【符号の説明】
【００２３】
１    手提げバッグ
１０    本体袋部
１１    本体袋部端部
１２    本体袋部左端部
１３    本体袋部右端部
１４    本体袋部表面側
１５    本体袋部裏面側
２０    本体手提げ部
３０    バッグ本体
４０    収納用袋部
４１    袋部
４２    収納用袋部表面側
４３    収納用袋部裏面側
５０    収納用手提げ部
６０    タグ
７０    財布
８０    携帯電話機
【図１】
0003136223.tif 000003
【図２】
0003136223.tif 000004
【図３】
0003136223.tif 000005
【図４】
0003136223.tif 000006
【図５】
0003136223.tif 000007
【図６】
0003136223.tif 000008
【図７】
0003136223.tif 000009
【図８】
0003136223.tif 000010
【図９】
0003136223.tif 000011
【手続補正書】
【提出日】平成19年8月8日(2007.8.8)
【手続補正１】
【補正対象書類名】実用新案登録請求の範囲
【補正対象項目名】全文
【補正方法】変更
【補正の内容】
【実用新案登録請求の範囲】
【請求項１】
本体手提げ部と本体袋部とからなるバッグ本体と、該本体袋部の開口端部から延設して該本体袋部の袋内に折り返して設けられた該バッグ本体を収納自在とする収納用袋部と、該バッグ本体を該収納用袋部に収納した際に手提げとなる収納時手提げ部とからなり、該収納時手提げ部は、該収納用袋部の本体袋部裏面側と接する収納用袋部裏面側であって本体袋部からの折り返し部分近傍の該収納用袋部の両側端にかけて設けられており、該バッグ本体を適宜折り畳んで該収納用袋部へ収納する際にも手提げバッグとして使用可能であることを特徴とする手提げバッグ。
【請求項２】
本体手提げ部と本体袋部とからなるバッグ本体と、該本体袋部の開口端部から延設して該本体袋部の袋内に折り返して設けられた該バッグ本体を収納自在とする収納用袋部と、該バッグ本体を該収納用袋部に収納した際に手提げとなる収納時手提げ部とからなり、該収納時手提げ部は、該収納用袋部の本体袋部裏面側と接する収納用袋部裏面側であって本体袋部からの折り返し部分近傍の該収納用袋部の両側端にかけて設けられ、該収納用袋部は、略四角形状且つ該収納用袋部の袋部の深さと該本体袋部の袋の深さとの比率を１：２．５〜１：３．５の間に形成され、該バッグ本体を適宜折り畳んで該収納用袋部へ収納する際にも手提げバッグとして使用可能であることを特徴とする手提げバッグ。
【請求項３】
本体手提げ部と本体袋部とからなるバッグ本体と、該本体袋部の開口端部から延設して該本体袋部の袋内に折り返して設けられた該バッグ本体を収納自在とする収納用袋部と、該バッグ本体を該収納用袋部に収納した際に手提げとなる収納時手提げ部とからなり、該収納時手提げ部は、該収納用袋部の本体袋部裏面側と接する収納用袋部裏面側であって本体袋部からの折り返し部分近傍の該収納用袋部の両側端にかけて設けられ、該収納用袋部は、略四角形状且つ該収納用袋部の袋部の深さと該本体袋部の袋の深さとの比率を１：２．８〜１：２．９又は１：３．１〜１：３．２の間に形成され、該バッグ本体を適宜折り畳んで該収納用袋部へ収納する際にも手提げバッグとして使用可能であることを特徴とする手提げバッグ。
【手続補正３】
【補正対象書類名】明細書
【補正対象項目名】０００５
【補正方法】変更
【補正の内容】
【０００５】
本考案に係る手提げバッグは、本体手提げ部と本体袋部とからなるバッグ本体と、該本体袋部の開口端部から延設して該本体袋部の袋内に折り返して設けられた該バッグ本体を収納自在とする収納用袋部と、該バッグ本体を該収納用袋部に収納した際に手提げとなる収納時手提げ部とからなり、該収納時手提げ部は、該収納用袋部の本体袋部裏面側と接する収納用袋部裏面側であって本体袋部からの折り返し部分近傍の該収納用袋部の両側端にかけて設けられており、該バッグ本体を適宜折り畳んで該収納用袋部へ収納する際にも手提げバッグとして使用可能であることを特徴とする。
【手続補正４】
【補正対象書類名】明細書
【補正対象項目名】０００６
【補正方法】変更
【補正の内容】
【０００６】
本考案に係る手提げバッグは、本体手提げ部と本体袋部とからなるバッグ本体と、該本体袋部の開口端部から延設して該本体袋部の袋内に折り返して設けられた該バッグ本体を収納自在とする収納用袋部と、該バッグ本体を該収納用袋部に収納した際に手提げとなる収納時手提げ部とからなり、該収納時手提げ部は、該収納用袋部の本体袋部裏面側と接する収納用袋部裏面側であって本体袋部からの折り返し部分近傍の該収納用袋部の両側端にかけて設けられ、該収納用袋部は、略四角形状且つ該収納用袋部の袋部の深さと該本体袋部の袋の深さとの比率を１：２．５〜１：３．５の間に形成され、該バッグ本体を適宜折り畳んで該収納用袋部へ収納する際にも手提げバッグとして使用可能であることを特徴とする。
【手続補正５】
【補正対象書類名】明細書
【補正対象項目名】０００７
【補正方法】変更
【補正の内容】
【０００７】
本考案に係る手提げバッグは、本体手提げ部と本体袋部とからなるバッグ本体と、該本体袋部の開口端部から延設して該本体袋部の袋内に折り返して設けられた該バッグ本体を収納自在とする収納用袋部と、該バッグ本体を該収納用袋部に収納した際に手提げとなる収納時手提げ部とからなり、該収納時手提げ部は、該収納用袋部の本体袋部裏面側と接する収納用袋部裏面側であって本体袋部からの折り返し部分近傍の該収納用袋部の両側端にかけて設けられ、該収納用袋部は、略四角形状且つ該収納用袋部の袋の深さと該本体袋部の袋の深さとの比率を１：２．８〜１：２．９又は１：３．１〜１：３．２の間に形成され、該バッグ本体を適宜折り畳んで該収納用袋部へ収納する際にも手提げバッグとして使用可能であることを特徴とする。
【手続補正６】
【補正対象書類名】明細書
【補正対象項目名】００１３
【補正方法】変更
【補正の内容】
【００１３】
図１乃至図９は、本考案の一実施例に係る手提げバッグを示す図である。図１は、本実施例に係る手提げバッグの斜視図である。図２は、本実施例に係る手提げバッグの収納用袋部を本体袋部から取り出した状態を当該収納用袋部の裏面側から視た図である。図３乃至図８は本実施例に係る手提げバッグを折り畳む状態を時系列的に表した図である。図３は収納用袋部を本体部から取り出した状態を当該収納用袋部の表面側から視た図である。図４から図８に至る本実施例に係る手提げバッグを折り畳む途中の状態をそれぞれ表した図である。図９は、本実施例に係る手提げバッグのバッグ本体を折り畳み収納用袋部に収納させた後に形成される小型の手提げバッグの使用状態を表す図である。図１乃至図９中、１は手提げバッグ、１０は本体袋部、１１は本体袋部開口端部、１２及び１３は本体袋部左右端部、１４は本体袋部表面側、１５は本体袋部裏面側、２０は本体手提げ部、３０は本体袋部及び本体手提げ部からなるバッグ本体、４０は収納用袋部、４１は袋部、４２は収納用袋部表面側、４３は収納用袋部裏面側、５０は収納時手提げ部、６０はタグである。
【手続補正７】
【補正対象書類名】明細書
【補正対象項目名】００１４
【補正方法】変更
【補正の内容】
【００１４】
本実施例に係る手提げバッグ１は、折り畳み可能な布から形成され、本体袋部１０及び本体手提げ部２０，２０からなるバッグ本体３０と収納用袋部４０と収納時手提げ部５０とタグ６０とから構成される。この手提げバッグの材料は、手提げバッグが折り畳み可能であればよいため、折り畳み可能であれば、ナイロン、皮、合皮、ビニルなどの材料その他の材料のいずれで形成されてもよい。